(57)【要約】  取水ろ過装置を設けた洗濯機において、該洗濯機は取水口（２）、取水水路（３）およびろ過装置取付口（４）を有する。該ろ過装置取付口（４）は取水水路（３）と通じ、取水ろ過装置（５）は該ろ過装置取付口（４）を介して、取水水路（３）中に取外し可能に取り付けられる。前記洗濯機に取水バルブ（６）が設けられ、取水バルブ（６）はバルブ体（６１）、取水端（６２）および出水端（６３）を含む。取水端（６２）は、端部に設けられる取水口（２）と、取水水路（３）と、取水端（６２）の側部に設けられるろ過装置取付口（４）とを含む。または、前記洗濯機に取水バルブ（６）が設けられ、取水口（２）と取水バルブ（６）との間は前記取水水路（３）であり、取水ろ過装置（５）は取水バルブ（６）と取水口（２）との間の取水水路（３）中に設けられる。前記洗濯機は、取り外して洗浄するのに便利な取水ろ過装置（５）が設置される。該取水ろ過装置（５）は取水口（２）内に設けられず、ろ過装置取付口（４）を介して取水水路（３）中に設けられ、ろ過面積は比較的大きく、取り外しやすく、洗浄に便利である。【選択図】図３
2017528242.tif 000002
【特許請求の範囲】
【請求項１】
取水口と、取水口に通じる取水水路とを有する、取水ろ過装置を設けた洗濯機であって、前記洗濯機筐体にろ過装置取付口が設けられ、該ろ過装置取付口が取水水路と通じ、取水ろ過装置が該ろ過装置取付口を介して、取水水路中に取外し可能に取り付けられることを特徴とする洗濯機。
【請求項２】
前記取水水路にろ過ケースが設けられ、ろ過ケースがろ過装置取付口と通じ、取水ろ過装置が該ろ過装置取付口を介して、ろ過ケース中に取外し可能に取り付けられることを特徴とする、請求項１に記載の取水ろ過装置を設けた洗濯機。
【請求項３】
前記洗濯機に取水バルブが設けられ、取水バルブがバルブ体、取水端および出水端を含み、バルブ体にろ過装置取付端が設けられ、取水端の端部の開口が取水口であり、ろ過装置取付端の端部の開口がろ過装置取付口であり、取水ろ過装置が該ろ過装置取付端を介して、バルブ体内に取外し可能に取り付けられることを特徴とする、請求項１に記載の取水ろ過装置を設けた洗濯機。
【請求項４】
前記バルブ体内に前記取水水路が設けられ、取水水路の両端がそれぞれ取水端および出水端とつながり、取水水路にバルブピストンが設けられ、ろ過装置取付端が、取水端およびバルブピストンの間の取水水路と通じることを特徴とする、請求項３に記載の取水ろ過装置を設けた洗濯機。
【請求項５】
前記洗濯機に取水バルブが設けられ、取水バルブがバルブ体、取水端および出水端を含み、取水端が、端部に設けられる取水口と、取水水路と、取水端の側部に設けられるろ過装置取付口とを含むことを特徴とする、請求項１に記載の取水ろ過装置を設けた洗濯機。
【請求項６】
前記取水ろ過装置がろ過機構および接続部品を含み、ろ過機構が接続部品と接続し、接続部品がろ過装置取付口と取外し可能に接続し、ろ過機構がろ過装置取付口から取水水路中に伸びることを特徴とする、請求項１に記載の取水ろ過装置を設けた洗濯機。
【請求項７】
前記接続部品が「冂」状のキャップ構造であり、周壁に雌ネジが設けられ、ろ過装置取付口に、雌ネジと組み合わさる雄ネジが設けられ、ろ過機構が筒状構造であり、一端が接続部品の開口から内部に伸び、接続部品と接続し、周壁にフィルタが設けられるか、または周壁およびもう１つの端部のいずれにもフィルタが設けられることを特徴とする、請求項６に記載の取水ろ過装置を設けた洗濯機。
【請求項８】
前記取水ろ過装置が取水水路と交差して設置されるか、または取水ろ過装置は取水水路が方向を変えた後の水流方向に沿って設置されることを特徴とする、請求項１〜７のいずれか１項に記載の取水ろ過装置を設けた洗濯機。
【請求項９】
前記取水水路が「Ｌ」状、または少なくとも２つが順番につながった「Ｌ」状を呈し、ろ過装置取付口が取水水路の屈曲部分と通じ、取水ろ過装置は取水が屈曲部分で方向を変えた後の水流方向に沿って挿入、設置され、ろ過装置取付口および取水口が交差または平行の位置関係を形成することを特徴とする、請求項８に記載の取水ろ過装置を設けた洗濯機。
【請求項１０】
前記取水口が洗濯機筐体の頂部に設けられ、ろ過装置取付口が洗濯機筐体の頂部もしくは後部もしくは側部に設けられるか、または取水口が洗濯機筐体の後部に設けられ、ろ過装置取付口が洗濯機筐体の頂部もしくは後部もしくは側部に設けられるか、または取水口が洗濯機筐体の側部に設けられ、ろ過装置取付口が洗濯機筐体の頂部もしくは後部もしくは側部に設けられることを特徴とする、請求項１〜７のいずれか１項に記載の取水ろ過装置を設けた洗濯機。
【発明の詳細な説明】
【技術分野】
【０００１】
本発明は洗濯機分野に関し、特に取水ろ過装置を設けた洗濯機である。
【背景技術】
【０００２】
洗濯機は、底面および側面を構成する本体と、本体の上部に設置されるトップカバーとを含む。本体の内部は、貯水槽が複数の支持体により支持され、上記貯水槽の内部に、衣類を投入した後、洗濯および脱水作業を行う洗濯槽が設置され、洗濯槽の内部に、パルセータが設置される。
【０００３】
トップカバーの後方に、洗剤ケースを挿入または取り出すことができる洗剤ケースのラックと、洗剤ケースのラックと接続する給水管と、給水管と接続する取水バルブとが設置され、取水バルブの取水端の内部にろ過装置が設置される。
【０００４】
トップカバーの中心部に、使用者が洗濯物を洗濯槽内部に投入するか、または洗濯槽から取り出すことができる蓋が設置される。トップカバー後方の上部に、操作パネルが設置され、操作パネルの底面に、洗濯機の各種作業を制御する制御装置などの制御部材が設置される。
【０００５】
上記構造の洗濯機は、使用者が蓋を開けて、洗濯物を洗濯槽に投入する。さらに操作パネルに設けられる入力ボタンで、必要な洗濯作業を入力すると、取水バルブが開き、設定水位まで洗濯水が洗濯槽に流入する。
【０００６】
この後、モータが駆動し、モータの駆動力を適当に減少させて、パルセータまたは洗濯槽に伝達し、洗濯作業が行われる。洗濯作業が完了すると、すすぎ作業を数回行う。すすぎ作業が完了すると、洗濯槽が高速回転するのと同時に、脱水作業を行い、さらには一連の関連する洗濯過程が完了する。
【０００７】
しかし、現在、農村などの多くの地域、ならびに国外のいくつかの国家および地域では、水道水の水質が比較的劣るため、数回使用すると、水中の異物によりフィルタが詰まり、取水が遅くなるか、または取水されなくなり、洗濯機を正常に使用することができなくなる。取水バルブの構造の制限により、現在の取水管、取水バルブは、基本的に標準のコネクタ設計である。取水口部分のフィルタは空間が制限されるため、面積を大きくすることができず、ろ過水量が少なく、詰まりやすくなる。また取水口は比較的小さく、取り外して洗浄するのが難しい。
【０００８】
既存の取水バルブ１’の取水口２’内に取り付けるフィルタ３’の大部分が、取り外すことができる構造を備えていない（図１を参照）ことに対して、例えば取水バルブのフィルタ３’につまみ４’を１つ追加する（図２を参照）などのいくつかの改良が行われている。円筒状のつまみおよび支持フレームは、射出成形により一体成型され、さらに鉄材質のフィルタもその内側に一体成型される。このように工具を使わずに便利に取り外して掃除することができるが、異物が多いために頻繁に取り外す問題を防止することはできない。
【０００９】
中国特許出願番号第０３１３０２９４．７号は、洗濯機の取水バルブにおけるろ過装置の構造を開示している。該構造は洗濯機の給水流路に設置される取水バルブを含み、取水バルブのバルブトップ内部にろ過装置が設置される。このろ過装置の構造はつまみ、フィルタ、およびその周囲を囲む支持フレームを含み、ろ過装置の内側に網状の第２ろ過装置がさらに設置される。二次ろ過構造を追加したが、詰まってフィルタを取り外すとき、依然として取水管を取水バルブ部分から取り外さなければならず、取水バルブおよび取水管は良好な密封を保証する必要がある。したがって、取付および取外しが便利ではなく、取付が不十分であるために漏水する問題が常に生じる。
【００１０】
このことを考慮して、特に本発明を示す。
【先行技術文献】
【特許文献】
【００１１】
【特許文献１】中国特許出願番号第０３１３０２９４．７号
【発明の概要】
【発明が解決しようとする課題】
【００１２】
本発明が解決しようとする技術的問題は、既存技術の不足を克服することであり、取水ろ過装置を設けた洗濯機を提供する。構造は簡単で、取外しが便利であり、ろ過面積が大きく、詰まりにくい。
【課題を解決するための手段】
【００１３】
上記技術的問題を解決するため、本発明が採用する技術案の基本的構造は次の通りである。取水ろ過装置を設けた洗濯機は、取水口と、取水口に通じる取水水路とを有する。洗濯機筐体にろ過装置取付口が設けられ、該ろ過装置取付口は取水水路と通じる。取水ろ過装置は該ろ過装置取付口を介して、取水水路中に取外し可能に取り付けられる。
【００１４】
さらに、前記取水水路にろ過ケースが設けられ、ろ過ケースはろ過装置取付口と通じ、取水ろ過装置は該ろ過装置取付口を介して、ろ過ケース中に取外し可能に取り付けられる。洗濯機に取水バルブが設けられ、取水口と取水バルブとの間は前記取水水路である。
【００１５】
さらに、前記洗濯機に取水バルブが設けられ、取水バルブはバルブ体、取水端および出水端を含み、バルブ体にろ過装置取付端が設けられる。取水端の端部の開口は取水口であり、ろ過装置取付端の端部の開口はろ過装置取付口である。取水ろ過装置は該ろ過装置取付端を介して、バルブ体内に取外し可能に取り付けられる。
【００１６】
さらに、前記バルブ体内に前記取水水路が設けられ、取水水路の両端はそれぞれ取水端および出水端とつながる。取水水路にバルブピストンが設けられ、ろ過装置取付端は、取水端およびバルブピストンの間の取水水路と通じる。
【００１７】
さらに、前記洗濯機に取水バルブが設けられ、取水バルブはバルブ体、取水端および出水端を含む。取水端は、端部に設けられる取水口と、取水水路と、取水端の側部に設けられるろ過装置取付口とを含む。
【００１８】
さらに、前記取水ろ過装置はろ過機構および接続部品を含む。ろ過機構は接続部品と接続し、接続部品はろ過装置取付口と取外し可能に接続し、ろ過機構はろ過装置取付口から取水水路中に伸びる。
【００１９】
さらに、前記接続部品は「冂」状のキャップ構造であり、周壁に雌ネジが設けられ、ろ過装置取付口に、雌ネジと組み合わさる雄ネジが設けられる。ろ過機構は筒状構造であり、一端は接続部品の開口から内部に伸び、接続部品と接続する。周壁にフィルタが設けられるか、または周壁およびもう１つの端部のいずれにもフィルタが設けられる。好ましくは、ろ過機構は接続部品と取外し可能に接続する。
【００２０】
さらに、前記取水ろ過装置は取水水路と交差して設置される。または、取水ろ過装置は取水水路が方向を変えた後の水流方向に沿って設置される。
【００２１】
さらに、前記取水水路は「Ｌ」状、または少なくとも２つが順番につながった「Ｌ」状を呈し、ろ過装置取付口は取水水路の屈曲部分と通じる。取水ろ過装置は、取水が屈曲部分で方向を変えた後の水流方向に沿って挿入、設置される。ろ過装置取付口および取水口は、交差または平行の位置関係を形成する。
【００２２】
さらに、ろ過機構の接続部品に対応する一端にガスケットを設けて、ろ過装置取付口を密封する。よりさらに、もう一端にもガスケットを設けて、ろ過機構と取水水路との間の隙間を密閉する。本発明の取水は、取水ろ過装置によりろ過を２回行い、ろ過効果はより良好である。
【００２３】
さらに、前記取水口は洗濯機筐体の頂部に設けられ、ろ過装置取付口は洗濯機筐体の頂部もしくは後部もしくは側部に設けられる。または取水口は洗濯機筐体の後部に設けられ、ろ過装置取付口は洗濯機筐体の頂部もしくは後部もしくは側部に設けられる。または取水口は洗濯機筐体の側部に設けられ、ろ過装置取付口は洗濯機筐体の頂部もしくは後部もしくは側部に設けられる。
【００２４】
さらに、上記ろ過装置取付口および取水口の洗濯機における位置関係は、上記取水ろ過装置を取水水路に取り付ける構造と関係する。
【発明の効果】
【００２５】
上記技術案を採用すると、本発明は既存技術と比較して、以下の有益な効果を有する。
【００２６】
本発明の前記洗濯機は、取り外して洗浄するのに便利な取水ろ過装置が設置される。該取水ろ過装置は取水口内に設けられず、ろ過装置取付口を介して取水水路中に設けられ、ろ過面積は比較的大きく、取り外しやすく、洗浄に便利である。取水口の取水断面の大きさに制限されないため、ろ過面積の大きさを自由に調整することができ、詰まりにくい。様々な取水方向の取水水路に対応し、ろ過装置取付口および取水口の間に様々な位置関係が設けられており、洗濯機のろ過装置取付口を設置するのに便利である。取水ろ過装置は多重にろ過するように設置することができ、様々な領域の水質に基づいて、様々なレベルの取水ろ過装置を設置し、応用範囲は広い。ろ過装置取付口を取水バルブに統合し、構造は簡単で、取付は便利である。ろ過装置取付口を独立して設置するため、取水口内が詰まることはない。これにより取水管を頻繁に取り外し、取付が不十分なために漏水の現象が生じるのを防止する。
【図面の簡単な説明】
【００２７】
【図１】図１は、既存の洗濯機における取水バルブのフィルタ取付構造の概要図である。
【図２】図２は、既存の洗濯機における別の取水バルブのフィルタ取付構造の概要図である。
【図３】図３は、本発明の洗濯機の構造概要図である。
【図４】図４は、本発明の洗濯機における取水バルブの構造概要図である。
【図５】図５は、本発明の洗濯機における取水バルブの断面図である。
【図６】図６は、本発明の洗濯機における取水バルブの取水ろ過の概要図である。
【図７】図７は、本発明の洗濯機の方式における取水ろ過の概要図である。
【図８】図８は、本発明の洗濯機の別の方式における取水ろ過の概要図である。
【図９】図９は、本発明の洗濯機の別の方式における取水ろ過の概要図である。
【図１０】図１０は、本発明の洗濯機における取水ろ過装置の構造概要図である。
【図１１】図１１は、本発明の取水ろ過装置の断面図である。
【図１２】図１２は、本発明の洗濯機におけるその他の構造概要図である。
【図１３】図１３は、本発明の洗濯機におけるその他の構造概要図である。
【図１４】図１４は、本発明の洗濯機におけるその他の構造概要図である。
【図１５】図１５は、本発明の洗濯機におけるその他の構造概要図である。
【発明を実施するための形態】
【００２８】
以下に、図を組み合わせて、本発明の具体的実施方式について、さらに詳細に記載する。
【００２９】
図３から図１５に示すように、洗濯機は取水口２と、取水口２に通じる取水水路３とを有する。取水口２は外部の取水管と取外し可能に接続し、外部の取水管のもう一端は水道水の蛇口と接続する（図示せず）。水道水は順番に取水管、取水口、取水水路を経て洗濯槽内に流入する。取水水路は洗濯機内部に設けられ、取水口から取水して洗濯槽に流入する水路である。該取水水路は洗濯機内に取り付けられる導水管路であるか、または取水バルブ中の水流の通路である。本発明の洗濯機筐体１は、ろ過装置取付口４がさらに設けられ、該ろ過装置取付口４は取水水路３と通じる。取水ろ過装置５は該ろ過装置取付口４を介して、取水水路３中に取外し可能に取り付けられ、これにより洗濯機の取水中の異物をろ過する。
【実施例】
【００３０】
実施例１
図４から図６に示すのは、本実施例に記載する洗濯機の取水バルブ６であり、バルブ体６１、取水端６２および出水端６３を含み、バルブ体６１にろ過装置取付端６４が設けられる。取水端６２の端部の開口は洗濯機の取水口２であり、ろ過装置取付端６４の端部の開口は洗濯機のろ過装置取付口４である。取水ろ過装置５は該ろ過装置取付端６４を介して、バルブ体６１内に取外し可能に取り付けられる。
【００３１】
具体的に、バルブ体６１内に前記取水水路３が設けられ、取水水路３の両端はそれぞれ取水端６２および出水端６３と通じる。取水水路にバルブピストン６５が設けられ、電磁素子により開閉が制御される（該構造は既存の洗濯機の電磁弁構造であり、図示しない）。ろ過装置取付端６４は、取水端６２およびバルブピストンとの間の取水水路と通じる。既存の洗濯機の機能は次第に多くなっており、異なるプログラムは異なる作用の水を必要とし、例えば噴射取水、主取水、洗浄取水などは、異なる出水口を必要とする。したがって、取水バルブは１つの入口と複数の出口を有する構造であり、すなわち複数の出水端が設けられる。しかし、出水端をいくつ設けても、取水端から最も近い１つの出水端と、該最も近い出水を制御するバルブピストンとが存在する。本発明は、取水ろ過装置５を、取水端６２と該最も近いバルブピストンとの間の取水水路上に設け（図５および図６を参照）、取水の異物がバルブピストンの使用寿命に影響を及ぼすのを防止する。
【００３２】
実施例２
図７に示すように、本実施例はもう１つの取水水路のろ過方式である。洗濯機の取水バルブの取水端６２に少しの改良を行い、上記実施例中の取水ろ過装置をバルブ体内の取水水路中に取り付けることから、取水バルブの取水端６２内の取水水路３中に取り付けるように変更する。取水端６２は、端部に設けられる取水口２と、取水水路３と、取水端６２の側部に設けられるろ過装置取付口４とを含み、取水ろ過装置５は該ろ過装置取付口４を介して取水水路３中に取り付けられる。
【００３３】
実施例３
図８に示すように、本実施例は別の取水水路のろ過方式であり、洗濯機の取水水路３にろ過ケース３１を設ける。例えば、取水水路およびろ過ケースは、操作パネル台または洗濯機筐体に取り付けられ、操作パネル台または筐体に、外付けの取水管と接続する取水口２が設けられる。取水口２は取水水路３を介してろ過ケース３１とつながり、取水ケース３１および取水バルブの間はつながる。ろ過ケース３１はろ過装置取付口４と通じ、取水ろ過装置５は該ろ過装置取付口４を介して、ろ過ケース３１中に取外し可能に取り付けられる。
【００３４】
実施例４
図７から図９に示すように、前記取水ろ過装置５は取水水路３と交差して設置される（図８を参照）か、または取水ろ過装置５は取水水路３が方向を変えた後の水流方向に沿って設置される（図７および図９を参照）。
【００３５】
具体的に、前記取水水路３は「Ｌ」状（図７を参照）、または２つが順番につながった「Ｌ」状（図９を参照）を呈する。ろ過装置取付口４は取水水路３の屈曲部分と通じ、取水ろ過装置５は取水が屈曲部分で方向を変えた後の水流方向に沿って挿入、設置される。ろ過装置取付口４および取水口２は、交差または平行の位置関係を形成する。複数が順番につながった「Ｌ」状の取水水路中において、取水ろ過装置５が、取水口から最も近い１つ目の水流の方向が変わる部分で、取水が屈曲部分で方向を変えた後の水流方向に沿って挿入、設置されるとき、ろ過装置取付口４および取水口２は、交差の位置関係を形成する。図３および図１２から図１４のように、取水口２およびろ過装置取付口４は、洗濯機における隣接する２つの筐体側部に位置する。図９に示すように、取水ろ過装置５が、２つ目の水流の方向が変わる部分で、取水が屈曲部分で方向を変えた後の水流方向に沿って挿入、設置されるとき、ろ過装置取付口４および取水口２は、平行の位置関係を形成し、洗濯機における同一側部に位置することを示す（図１５を参照）。
【００３６】
実施例５
図１０および図１１に示すように、本発明の前記取水ろ過装置５は、ろ過機構５１および接続部品５２を含む。ろ過機構５１は接続部品５２と接続し、接続部品５２はろ過装置取付口４と取外し可能に接続する。ろ過機構５１は、ろ過装置取付口４から取水水路３中に伸びる。
【００３７】
さらに、前記接続部品は「冂」状のキャップ構造であり、周壁に雌ネジが設けられ、ろ過装置取付口に、雌ネジと組み合わさる雄ネジが設けられる。ろ過機構５１は筒状構造であり、一端は接続部品５２の開口から内部に伸び、接続部品５２と接続する。周壁にフィルタ５１１が設けられるか、または周壁およびもう１つの端部のいずれにもフィルタが設けられる。さらに、フィルタの洗浄を便利にするため、ろ過機構５１は接続部品５２と取外し可能に接続する。
【００３８】
図１１に示すように、ろ過機構５１の接続部品５２に対応する一端にガスケット５３を設けて、ろ過装置取付口を密封する。よりさらに、もう一端にもガスケット５３を設けて、ろ過機構および取水水路の間の隙間を密閉する。本発明の取水は、取水ろ過装置によりろ過を２回行い、ろ過効果はより良好である。
【００３９】
実施例６
図３および図１２から図１５に示すように、本発明の前記洗濯機筐体１は、パルセータ洗濯機およびドラム式洗濯機を含む。前記取水口２は洗濯機筐体１の頂部に設けられ、ろ過装置取付口４は洗濯機筐体１の頂部もしくは後部もしくは側部に設けられる。または取水口２は洗濯機筐体１の後部に設けられ、ろ過装置取付口４は洗濯機筐体１の頂部もしくは後部もしくは側部に設けられる。または取水口２は洗濯機筐体１の側部に設けられ、ろ過装置取付口４は洗濯機筐体１の頂部もしくは後部もしくは側部に設けられる。該ろ過装置取付口および取水口の洗濯機における位置関係は、上記取水ろ過装置を取水水路に取り付ける構造と関係する。実施例４を参照のこと。
【００４０】
上記実施例中の実施案はさらに組み合わせるか、または置換することができ、また実施例は本発明の好ましい実施例を記載したに過ぎず、本発明の構想および範囲を限定しない。本発明の設計の発想を逸脱しない前提の下、当業者が本発明の技術案に対して行う各種変更および改良は、いずれも本発明の保護範囲に属する。
【図１】
2017528242.tif 000003
【図２】
2017528242.tif 000004
【図３】
2017528242.tif 000005
【図４】
2017528242.tif 000006
【図５】
2017528242.tif 000007
【図６】
2017528242.tif 000008
【図７】
2017528242.tif 000009
【図８】
2017528242.tif 000010
【図９】
2017528242.tif 000011
【図１０】
2017528242.tif 000012
【図１１】
2017528242.tif 000013
【図１２】
2017528242.tif 000014
【図１３】
2017528242.tif 000015
【図１４】
2017528242.tif 000016
【図１５】
2017528242.tif 000017
【国際調査報告】
2017528242.tif 000018
2017528242.tif 000019
2017528242.tif 000020
2017528242.tif 000021